【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
制御装置に接続可能な記録装置であって、
記録媒体への記録に関する設定に係る設定値が記述された設定データが記憶される記憶部と、
前記設定データを参照して前記設定値を一時記憶領域に展開し、当該一時記憶領域に展開した前記設定値を参照して前記記録媒体に記録を実行させる記録制御部と、を備え、
前記記録制御部は、
前記制御装置から制御コマンドを受信した場合、当該制御コマンドの内容に応じて前記一時記憶領域に展開した所定の設定に係る設定値を変更し、当該所定の設定については変更後の前記設定値を参照して記録を実行させ、
前記制御装置から設定値を変更した設定についての問い合わせがあった場合は、変更後の前記設定値を応答することを特徴とする記録装置。
【請求項２】
前記設定データには、記録可能領域に係る設定値が記述され、
前記記録制御部は、
前記制御装置から制御コマンドを受信した場合、当該制御コマンドの内容に応じて、前記一時記憶領域に展開した記録可能領域に係る設定値を変更し、前記記録可能領域については、変更後の前記記録可能領域に係る設定値を参照して記録を実行させ、前記制御装置から前記記録可能領域についての問い合わせがあった場合は、変更後の前記記録可能領域に係る設定値を応答することを特徴とする請求項１に記載の記録装置。
【請求項３】
前記記録制御部は、
前記制御装置から１行分の文字の記録を指示する制御コマンドを受信した場合、当該制御コマンドの内容に応じて、１行に記録される文字の記録可能桁数が所定の値となるように前記一時記憶領域に展開した前記記録可能領域に係る設定値を変更し、前記記録可能領域については、変更後の前記記録可能領域に係る設定値を参照して記録を実行させ、
前記制御装置から前記記録可能領域についての問い合わせがあった場合は、変更後の前記記録可能領域に係る設定値を応答することを特徴とする請求項２に記載の記録装置。
【請求項４】
前記記憶部には、フォントデータがさらに記憶され、
前記記録制御部は、
前記制御装置から１行分の所定のフォントの文字の記録を指示する制御コマンドを受信した場合、当該制御コマンドの内容に応じて、当該所定のフォントで１行に文字を記録したときの記録可能桁数と、他の特定のフォントで１行に文字を記録したときの記録可能桁数が一致するように前記一時記憶領域に展開した前記記録可能領域に係る設定値を変更し、前記記録可能領域については、変更後の前記記録可能領域に係る設定値を参照して記録を実行させ、
前記制御装置から前記記録可能領域についての問い合わせがあった場合は、変更後の前記記録可能領域に係る設定値を応答することを特徴とする請求項３に記載の記録装置。
【請求項５】
制御装置に接続可能に構成され、
記録媒体への記録に関する各種設定に係る設定値が記述された設定データが記憶される記憶部を備える記録装置の制御方法であって、
前記設定データに記述された前記設定値を一時記憶領域に展開し、当該一時記憶領域に展開した設定値を参照して前記記録媒体に記録を実行し、
当該制御コマンドの内容に応じて前記一時記憶領域に展開した所定の設定に係る設定値を変更し、当該所定の設定については、変更後の前記設定値を参照して記録を実行し、
前記制御装置から設定値を変更した設定についての問い合わせがあった場合は、変更後の前記設定値を応答することを特徴とする記録装置の制御方法。
【請求項６】
制御装置に接続可能に構成され、
記録媒体への記録に関する設定に係る設定値が記述された設定データが記憶される記憶部を備える記録装置を制御する制御部により実行されるプログラムであって、
前記制御部を、
前記設定データに記述された前記設定値を一時記憶領域に展開し、当該一時記憶領域に展開した前記設定値を参照して前記記録媒体に記録を実行させる記録制御部として機能させ、
前記記録制御部は、
前記制御装置から前記制御コマンドを受信した場合、当該制御コマンドの内容に応じて前記一時記憶領域に展開した所定の設定に係る設定値を変更し、当該所定の設定については、変更後の前記設定値を参照して記録を実行させ、
前記制御装置から設定値を変更した設定についての問い合わせがあった場合は、変更後の前記設定値を応答することを特徴とするプログラム。
【手続補正２】
【補正対象書類名】明細書
【補正対象項目名】０００５
【補正方法】変更
【補正の内容】
【０００５】
上記目的を達成するために、本発明は、制御装置に接続可能な記録装置であって、記録媒体への記録に関する設定に係る設定値が記述された設定データが記憶される記憶部と、前記設定データを参照して前記設定値を一時記憶領域に展開し、当該一時記憶領域に展開した前記設定値を参照して前記記録媒体に記録を実行させる記録制御部と、を備え、前記記録制御部は、前記制御装置から制御コマンドを受信した場合、当該制御コマンドの内容に応じて前記一時記憶領域に展開した所定の設定に係る設定値を変更し、当該所定の設定については変更後の前記設定値を参照して記録を実行させ、前記制御装置から設定値を変更した設定についての問い合わせがあった場合は、変更後の前記設定値を応答することを特徴とする。
この構成によれば、記録装置は、設定値を一時的に変更した設定について、制御装置から問い合わせがあった場合、設定データに記述された設定値ではなく、一時記憶領域に記憶された変更後の設定値を応答する。ここで、一時記憶領域に記憶された設定値が、記録に係る処理に際して実際に使用される設定値であるため、上記構成により、記録装置は、制御装置から設定に関する問い合わせがあった場合、記録の際に一時的に設定値が変更される設定があることを踏まえ、設定値が変更された設定については、記録に際して実際に使用される設定値を適切に応答することが可能となる。
【手続補正３】
【補正対象書類名】明細書
【補正対象項目名】０００６
【補正方法】変更
【補正の内容】
【０００６】
また、本発明は、前記設定データには、記録可能領域に係る設定値が記述され、前記記録制御部は、前記制御装置から制御コマンドを受信した場合、当該制御コマンドの内容に応じて、前記一時記憶領域に展開した記録可能領域に係る設定値を変更し、前記記録可能領域については、変更後の前記記録可能領域に係る設定値を参照して記録を実行させ、前記制御装置から前記記録可能領域についての問い合わせがあった場合は、変更後の前記記録可能領域に係る設定値を応答することを特徴とする。
ここで、記録装置は、記録に際し、設定データに記述された記録可能領域の設定値について、所定の記録結果を得るために、その値を拡大し、又は、縮小することがある。そして、上記構成によれば、記録可能領域の設定値について一時的な変更が行われた場合において、制御装置から記録可能領域についての問い合わせがあった場合、記録装置は、一時的な変更後の記録可能領域の設定値を応答するため、記録に際して実際に使用する記録可能領域の設定値を適切に応答可能となる。
【手続補正４】
【補正対象書類名】明細書
【補正対象項目名】０００７
【補正方法】変更
【補正の内容】
【０００７】
また、本発明は、前記記録制御部は、前記制御装置から１行分の文字の記録を指示する制御コマンドを受信した場合、当該制御コマンドの内容に応じて、１行に記録される文字の記録可能桁数が所定の値となるように前記一時記憶領域に展開した前記記録可能領域に係る設定値を変更し、前記記録可能領域については、変更後の前記記録可能領域に係る設定値を参照して記録を実行させ、前記制御装置から前記記録可能領域についての問い合わせがあった場合は、変更後の前記記録可能領域に係る設定値を応答することを特徴とする。
ここで、１行に記録される文字の記録可能桁数によって、記録結果（記録媒体の見た目）は大きく変わる場合がある。従って、記録装置は、所定の記録結果を得るために、記録可能領域の設定値を変更することにより、１行に記録される文字の記録可能桁数を調整する場合がある。そして、上記構成によれば、記録可能桁数の調整のために記録可能領域の設定値について一時的な変更が行われた場合において、制御装置から記録可能領域についての問い合わせがあった場合、記録装置は、一時的な変更後の記録可能領域の設定値を応答するため、記録に際して実際に使用する記録可能領域の設定値を適切に応答可能となる。
【手続補正５】
【補正対象書類名】明細書
【補正対象項目名】０００８
【補正方法】変更
【補正の内容】
【０００８】
また、本発明は、前記記憶部には、フォントデータがさらに記憶され、前記記録制御部は、前記制御装置から１行分の所定のフォントの文字の記録を指示する制御コマンドを受信した場合、当該制御コマンドの内容に応じて、当該所定のフォントで１行に文字を記録したときの記録可能桁数と、他の特定のフォントで１行に文字を記録したときの記録可能桁数が一致するように前記一時記憶領域に展開した前記記録可能領域に係る設定値を変更し、前記記録可能領域については、変更後の前記記録可能領域に係る設定値を参照して記録を実行させ、前記制御装置から前記記録可能領域についての問い合わせがあった場合は、変更後の前記記録可能領域に係る設定値を応答することを特徴とする。
ここで、記録装置は、１行分の文字を記録する場合において、所定のフォントで記録した場合と、他の特定のフォントで記録した場合との記録結果を近似させるべく、当該処置のフォントで１行に文字を記録したときの記録可能桁数と、他の特定のフォントで１行に文字を記録したときの記録可能桁数とが一致するように、記録可能領域の設定値を一時的に変更する場合がある。そして、上記構成によれば、記録可能桁数の調整のために記録可能領域の設定値について一時的な変更が行われた場合において、制御装置から記録可能領域についての問い合わせがあった場合、記録装置は、一時的な変更後の記録可能領域の設定値を負うとするため、記録に際して実際に使用する記録可能領域の設定値を適切に応答可能となる。
【手続補正６】
【補正対象書類名】明細書
【補正対象項目名】０００９
【補正方法】変更
【補正の内容】
【０００９】
また、上記目的を達成するために、本発明は、制御装置に接続可能に構成され、記録媒体への記録に関する各種設定に係る設定値が記述された設定データが記憶される記憶部を備える記録装置の制御方法であって、前記設定データに記述された前記設定値を一時記憶領域に展開し、当該一時記憶領域に展開した設定値を参照して前記記録媒体に記録を実行し、当該制御コマンドの内容に応じて前記一時記憶領域に展開した所定の設定に係る設定値を変更し、当該所定の設定については、変更後の前記設定値を参照して記録を実行し、前記制御装置から設定値を変更した設定についての問い合わせがあった場合は、変更後の前記設定値を応答することを特徴とする。
この制御方法によれば、記録装置は、制御装置から設定に関する問い合わせがあった場合、記録の際に一時的に設定値が変更される設定があることを踏まえ、設定値が変更された設定については、記録に際して実際に使用される設定値を適切に応答することが可能となる。
【手続補正７】
【補正対象書類名】明細書
【補正対象項目名】００１０
【補正方法】変更
【補正の内容】
【００１０】
また、上記目的を達成するために、制御装置に接続可能に構成され、記録媒体への記録に関する設定に係る設定値が記述された設定データが記憶される記憶部を備える記録装置を制御する制御部により実行されるプログラムであって、前記制御部を、前記設定データに記述された前記設定値を一時記憶領域に展開し、当該一時記憶領域に展開した前記設定値を参照して前記記録媒体に記録を実行させる記録制御部として機能させ、前記記録制御部は、前記制御装置から前記制御コマンドを受信した場合、当該制御コマンドの内容に応じて前記一時記憶領域に展開した所定の設定に係る設定値を変更し、当該所定の設定については、変更後の前記設定値を参照して記録を実行させ、前記制御装置から設定値を変更した設定についての問い合わせがあった場合は、変更後の前記設定値を応答することを特徴とする。
このプログラムによれば、記録装置は、制御装置から設定に関する問い合わせがあった場合、記録の際に一時的に設定値が変更される設定があることを踏まえ、設定値が変更された設定については、記録に際して実際に使用される設定値を適切に応答することが可能となる。